(57)【要約】【課題】イオンの発生量が低下することを抑制できるイオン発生装置を提供する。【解決手段】イオン発生装置１００は、送風部６と、第１放電電極７２と、第２放電電極７３と、第１ガイド面７４ａと、第２ガイド面７５ａとを備える。送風部６は、螺旋状に流れる螺旋風Ｆ１を送る。第１放電電極７２は、送風部６の下流に配置される。第１ガイド面７４ａは、螺旋風Ｆ１１を第１放電電極７２へ案内する。第２放電電極７３は、送風部６の下流に配置される。第２ガイド面７５ａは、螺旋風Ｆ１２を第２放電電極７３へ案内する。【選択図】図５
2020166948.tif 000002
【特許請求の範囲】
【請求項１】
螺旋状に流れる螺旋風を送る送風部と、
前記送風部の下流に配置される放電電極と、
前記螺旋風を前記放電電極へ案内するガイド面と
を備える、イオン発生装置。
【請求項２】
前記ガイド面は、前記放電電極から前記送風部側に離間した場所に配置され、前記螺旋風の中心軸に対して平行な面である、請求項１に記載のイオン発生装置。
【請求項３】
前記ガイド面は、前記放電電極から前記送風部側に離間した場所に配置され、前記螺旋風の中心軸に垂直な方向に対して鋭角に傾斜する面である、請求項１に記載のイオン発生装置。
【請求項４】
前記ガイド面は、前記ガイド面に当たった前記螺旋風から反射風を生成し、
前記反射風は、前記ガイド面に沿いつつ前記放電電極側へ流れる、請求項２又は請求項３に記載のイオン発生装置。
【請求項５】
前記ガイド面の面積は、前記放電電極に供給される前記反射風の風量に応じた大きさを有する、請求項４に記載のイオン発生装置。
【請求項６】
前記放電電極は、第１放電電極と、第２放電電極とを含み、
前記第１放電電極と前記第２放電電極とは、前記中心軸を介して互いに離間しており、
前記ガイド面は、
前記第１放電電極から前記送風部側に離間した場所に配置される第１ガイド面と、
前記第２放電電極から前記送風部側に離間した場所に配置される第２ガイド面と
を含み、
前記第１ガイド面と前記第２ガイド面とが、互いに反対側を向く、請求項２から請求項５のいずれか１項に記載のイオン発生装置。
【請求項７】
前記第１放電電極と前記中心軸との距離の方が、前記第２放電電極と前記中心軸との距離よりも長く、
前記第１ガイド面の面積の方が、前記第２ガイド面の面積よりも大きい、請求項６に記載のイオン発生装置。
【発明の詳細な説明】
【技術分野】
【０００１】
本発明は、イオン発生装置に関する。
【背景技術】
【０００２】
特許文献１に記載のイオン発生装置は、電極と、送風機と、外筐とを含む。電極及び送風機は、外筐の内部に配置される。外筐には、送気口かが形成される。電極は、イオンを発生する。送風機は、電極で発生されたイオンを空気流により搬送する。イオンは、送気口から排出される。
【先行技術文献】
【特許文献】
【０００３】
【特許文献１】特開２０１６−４６０４６号公報
【発明の概要】
【発明が解決しようとする課題】
【０００４】
しかし、送風機から螺旋状に風が流れる場合、風が電極を通らずに電極の周りを螺旋状に旋回することで、電極を通る風量が少なくなる可能性がある。電極を通る風量が少なくなると、送気口から排出されるイオンの量、すなわち、イオンの発生量が低下する可能性がある。
【０００５】
本発明は、イオンの発生量が低下することを抑制できるイオン発生装置を提供することを目的とする。
【課題を解決するための手段】
【０００６】
本願の第１局面によれば、イオン発生装置は、送風部と、放電電極と、ガイド面とを備える。送風部は、螺旋状に流れる螺旋風を送る。放電電極は、前記送風部の下流に配置される。ガイド面は、前記螺旋風を前記放電電極へ案内する。
【発明の効果】
【０００７】
本発明のイオン発生装置によれば、イオンの発生量が低下することを抑制できる。
【図面の簡単な説明】
【０００８】
【図１】本発明の実施形態に係るイオン発生装置の側面図である。
【図２】イオン発生装置の断面図である。
【図３】送風部とイオン供給部とを示す正面図である。
【図４】イオン供給部の底面図である。
【図５】イオン発生素子の回路構成の一例を示す図である。
【図６】イオン供給部の動作の第１例を示す斜視図である。
【図７】イオン供給部の動作の第２例を示す斜視図である。
【図８】イオン供給部の正面図である。
【図９】イオン供給部の変形例を示す模式図である。
【発明を実施するための形態】
【０００９】
本発明の実施形態について、図面を参照しながら説明する。なお、図中、同一又は相当部分については同一の参照符号を付して説明を繰り返さない。
【００１０】
図１及び図２を参照して、本発明の実施形態に係るイオン発生装置１００について説明する。図１は、本発明の実施形態に係るイオン発生装置１００の側面図である。図２は、イオン発生装置１００の断面図である。
【００１１】
図１及び図２に示すように、イオン発生装置１００は、筐体１を備える。筐体１は、中空の部材である。筐体１は、例えば、樹脂により形成される中空の部材である。
【００１２】
筐体１は、第１筐体１０と、第２筐体２０とを含む。第１筐体１０には、第２筐体２０が着脱自在に取り付けられる。第２筐体２０は、第１筐体１０の外側に位置する。第１筐体１０に第２筐体２０が取り付けられることで、第１筐体１０の一部が第２筐体２０によって覆われる。なお、第１筐体１０と第２筐体２０とは、一体の部材でもよい。
【００１３】
筐体１は、把持部３をさらに含む。把持部３は、筐体１の外面の一部を凹ませた形状を有する。ユーザーは、把持部３を把持してイオン発生装置１００を持ち運ぶ。
【００１４】
筐体１には、吸気口Ａが形成される。吸気口Ａは、筐体１の内部Ｍと外部とを連通する。吸気口Ａは、筐体１の下部１２に形成される。
【００１５】
筐体１には、吹出口Ｂがさらに形成される。吹出口Ｂは、筐体１の内部Ｍと外部とを連通する。吹出口Ｂは、筐体１の上部１１に形成される。
【００１６】
図４に示すように、イオン発生装置１００は、発光部４と、浄化部５と、送風部６とをさらに備える。
【００１７】
発光部４、浄化部５、及び送風部６は、筐体１の内部Ｍに配置される。
【００１８】
発光部４は、浄化部５に向けて光を照射する。発光部４は、例えば、ＬＥＤのような光源を含む。
【００１９】
浄化部５は、空気を浄化する。浄化部５は、発光部４の上方に配置される。浄化部５は、例えば、光触媒フィルターを含む。光触媒フィルターに含まれる光触媒は、発光部４から光を照射されることで触媒作用を生成する。その結果、空気が浄化部５の光触媒フィルターを通過する際、空気中の臭い成分が分解される。臭い成分は、例えば、アンモニア、メチルメルカプタン、トリメチルアミン、及び／又は、ノネナール等である。
【００２０】
浄化部５は、物理吸着型フィルター、及び／又は、化学吸着型フィルターを含み、物理吸着型フィルター、及び／又は、化学吸着型フィルターによって臭い成分を吸着してもよい。光触媒フィルターが用いられない場合、イオン発生装置１００は発光部４を備えてなくてもよい。
【００２１】
また、本実施形態では、浄化部５は、空気の浄化の第１例として、空気中の臭い成分を低減させる。しかし、本発明はこれに限定されない。浄化部５は、空気の浄化の第２例として、空気中の塵埃を低減させてもよい。この場合、浄化部５は、例えば、ＨＥＰＡフィルターを含む。
【００２２】
筐体１の内部Ｍには、風路Ｎが形成される。本実施形態では、風路Ｎは、上下方向に沿って延びる。風路Ｎは、吸気口Ａと吹出口Ｂとに連通する。風路Ｎ上には、浄化部５と、送風部６とが配置される。
【００２３】
送風部６は、風（空気の流れ）を生成する。送風部６は、例えば、ファン６ａ（図３参照）と、ファン６ａを回転させる駆動源を含む。駆動源は、例えば、モータを含む。
【００２４】
イオン発生装置１００は、イオン供給部７をさらに備える。イオン供給部７は、筐体１の内部Ｍに配置される。イオン供給部７は、風路Ｎ上に配置される。イオン供給部７は、送風部６の下流に配置される。イオン供給部７は、風路Ｎを流れる風にイオンを供給する。イオンは、例えば、正イオン、及び負イオンのうちの少なくとも１つのイオンを含む。
【００２５】
イオン発生装置１００は、整流部８と、ルーバー９とをさらに備える。整流部８及びルーバー９は、筐体１の内部Ｍに配置される。整流部８及びルーバー９は、風路Ｎ上に配置される。
【００２６】
整流部８は、送風部６により送られる風をガイドする。整流部８は、イオン供給部７の下流に配置される。整流部８は、筐体１に固定される。
【００２７】
ルーバー９は、整流部８から流れる風をガイドする。ルーバー９は、整流部８の下流に配置される。ルーバー９は、風路Ｎ上において、吹出口Ｂの直前に配置される。
【００２８】
ルーバー９は、筐体１に回転可能に取り付けられる。筐体１に対するルーバー９の回転角度が変更されることで、吹出口Ｂから排出される風の排出方向Ｈが変更される。
【００２９】
イオン発生装置１００は、記憶部Ｓ１と、制御部Ｓ２とをさらに備える。
【００３０】
記憶部Ｓ１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部Ｓ２によって実行される種々のコンピュータープログラムを記憶する。
【００３１】
制御部Ｓ２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部Ｓ２は、イオン発生装置１００の各要素を制御する。
【００３２】
図２を参照して、風路Ｎを通じた風の流れについて説明する。
【００３３】
図２に示すように、送風部６が稼働することで、筐体１の外部から吸気口Ａを介して筐体１の内部Ｍに風が流入する。筐体１の内部Ｍに流入した風は、浄化部５及びイオン供給部７の順番に、筐体１の内部Ｍを流れる。浄化部５及びイオン供給部７を流れる風は、浄化部５を通過する際に浄化され、イオン供給部７を通過する際にイオンを供給される。浄化部５及びイオン供給部７を通過した風は、整流部８を通過した後、ルーバー９の回転角度に応じた方向に向かって吹出口Ｂから排出される。その結果、浄化されると共にイオンを供給された風が、吹出口Ｂから排出される。本実施形態では、送風部６が稼働することは、送風部６の駆動源であるモータがファン６ａ（図３参照）を回転させることを示す。
【００３４】
なお、イオン発生装置１００は、浄化部５とイオン供給部７との両方を含んでいる必要がなく、浄化部５及びイオン供給部７のうちの少なくともイオン供給部７を含んでいればよい。
【００３５】
次に、図３から図５を参照して、送風部６とイオン供給部７とについてさらに説明する。図３は、送風部６とイオン供給部７とを示す正面図である。図４は、イオン供給部７の底面図である。
【００３６】
図３及び図４に示すように、送風部６は、ファン６ａを回転させることによって、螺旋風Ｆ１を生成する。螺旋風Ｆ１は、送風部６からイオン供給部７に向かって螺旋状に流れる風である。螺旋風Ｆ１は、浄化部５を通過後の空気、すなわち、浄化部５により浄化された空気を含む。
【００３７】
螺旋風Ｆ１は、中心軸Ｚを中心にして、螺旋状に流れる。中心軸Ｚは、送風部６からイオン供給部７に向かって延びる軸である。本実施形態では、中心軸Ｚは、送風部６とイオン供給部７とを通りつつ、上下方向に沿って延びる。
【００３８】
本実施形態では、送風部６は、上方に螺旋風Ｆ１を送る。送風部６の上方には、イオン供給部７が配置される。
【００３９】
イオン供給部７は、筐体７１と、第１放電電極７２と、第２放電電極７３と、第１ガイド板７４と、第２ガイド板７５とを含む。
【００４０】
筐体７１は、例えば、絶縁性の樹脂で形成されている。筐体７１には、第１放電電極７２及び第２放電電極７３の各々が取り付けられる。
【００４１】
第１放電電極７２及び第２放電電極７３の各々は、針状の電極である。第１放電電極７２及び第２放電電極７３の各々は、例えば、導電性を有する金属で形成される。第１放電電極７２は、放電することにより正イオンを放出する。第２放電電極７３は、放電することにより負イオンを放出する。
【００４２】
第１放電電極７２及び第２放電電極７３の各々は、筐体７１の前面７１ａから突出する。第１放電電極７２と第２放電電極７３とは、左右方向に沿って互いに離間している。第１放電電極７２と第２放電電極７３との間には、中心軸Ｚが位置する。
【００４３】
第１ガイド板７４及び第２ガイド板７５の各々は、板状の部材である。第１ガイド板７４及び第２ガイド板７５の各々は、例えば、樹脂により形成される。第１ガイド板７４及び第２ガイド板７５の各々は、筐体７１に設けられる。第１ガイド板７４及び第２ガイド板７５の各々は、筐体７１と一体の部材でもよく、筐体７１とは別体の部材でもよい。
【００４４】
第１ガイド板７４は、第１ガイド面７４ａを含む。第１ガイド面７４ａは、上下方向に対して平行な平面である。第１ガイド面７４ａは、第１放電電極７２の下方に配置される。第１ガイド面７４ａは、第１放電電極７２から送風部６側に離間した場所に配置される。第１ガイド面７４ａは、螺旋風Ｆ１の風路上に位置する。第１ガイド面７４ａは、前方を向いている。
【００４５】
第２ガイド板７５は、第２ガイド面７５ａを含む。第２ガイド面７５ａは、上下方向に対して平行な平面である。第２ガイド面７５ａは、第２放電電極７３の下方に配置される。第２ガイド面７５ａは、第２放電電極７３から送風部６側に離間した場所に配置される。第２ガイド面７５ａは、螺旋風Ｆ１の風路上に位置する。第２ガイド面７５ａは、後方を向いている。第２ガイド面７５ａは、第１ガイド面７４ａに対して反対側を向いている。
【００４６】
第１ガイド面７４ａと第２ガイド面７５ａとは、左右方向に沿って互いに離間している。第１ガイド面７４ａと第２ガイド面７５ａとの間は、中心軸Ｚが位置する。
【００４７】
図４に示すように、第１放電電極７２と第１ガイド面７４ａとは、互いに同じ向き（前向き）に配置される。前後方向の位置において、第１ガイド面７４ａは、第１放電電極７２の基部７２ａと略同じ位置、又は、基部７２ａよりも僅かに後方に配置される。
【００４８】
第２放電電極７３と第２ガイド面７５ａとは、互いに逆向きに配置される。第２放電電極７３は前向きに配置され、第２ガイド面７５ａは後向きに配置される。前後方向の位置において、第２ガイド面７５ａは、第２放電電極７３の先端部７３ｂと略同じ位置、又は、先端部７３ｂよりも僅かに前方に配置される。イオン供給部７を上下方向に見たとき、第２ガイド面７５ａは、第２放電電極７３の先端部７３ｂと対向するように配置される。
【００４９】
図３及び図４に示すように、イオン供給部７は、第１側壁部７６と、第２側壁部７７と、第３側壁部７９とをさらに含む。
【００５０】
第１側壁部７６は、筐体１に設けられる。第１側壁部７６は、第１放電電極７２を側方から覆う壁状の部材である。第１側壁部７６は、上下方向に沿って延びつつ、筐体１から前方に突出する形状を有する。第１側壁部７６は、第１放電電極７２に対して側方から対向する。第１側壁部７６は、第１放電電極７２よりも中心軸Ｚから離間している。
【００５１】
第２側壁部７７は、筐体１に設けられる。第２側壁部７７は、第２放電電極７３を側方から覆う壁状の部材である。第２側壁部７７は、上下方向に沿って延びつつ、筐体１から前方に突出する形状を有する。第２側壁部７７は、第２放電電極７３に対して側方から対向する。第２側壁部７７は、第２放電電極７３よりも中心軸Ｚから離間している。また、第２側壁部７７は、第２ガイド板７５に連なる。
【００５２】
第３側壁部７９は、筐体１に設けられる。第３側壁部７９は、第２ガイド板７５に連なる。第３側壁部７９と第２側壁部７７との間に第２ガイド板７５が位置する。
【００５３】
イオン供給部７は、イオン発生素子７８をさらに含む。
【００５４】
イオン発生素子７８は、第１放電電極７２及び第２放電電極７３の各々からイオンを放出させる。イオン発生素子７８は、筐体７１に収容される。イオン発生素子７８には、第１放電電極７２及び第２放電電極７３の各々が接続される。
【００５５】
図５を参照して、イオン発生素子７８について説明する。図５は、イオン発生素子７８の回路構成の一例を示す図である。
【００５６】
図５に示すように、イオン発生素子７８は、第１ランド７８ａと、コンデンサ７８ｂと、昇圧トランス７８ｃと、トランジスタ７８ｄと、第１ダイオード７８ｅと、第２ダイオード７８ｆと、第１誘導電極７８ｇと、第２誘導電極７８ｈとを有する。イオン発生素子７８は、回路基板に設けられる。
【００５７】
コンデンサ７８ｂは、第１ランド７８ａを介して供給される駆動電圧に基づいて一時的に充電を行なう。そして、コンデンサ７８ｂは、駆動電圧を昇圧トランス７８ｃに供給する。
【００５８】
昇圧トランス７８ｃは、一次巻線７８１と二次巻線７８２とを含む。昇圧トランス７８ｃは、コンデンサ７８ｂから供給された駆動電圧を昇圧する。そして、昇圧トランス７８ｃは、駆動電圧を第１放電電極７２と第２放電電極７３とに印加する。
【００５９】
トランジスタ７８ｄは、昇圧トランス７８ｃを制御する。トランジスタ７８ｄは、例えば、パッケージ化されたＭＯＳトランジスタを含む。
【００６０】
第１ダイオード７８ｅは、電流を整流する。第１ダイオード７８ｅのアノードが昇圧トランス７８ｃの二次巻線７８２に接続されている。第１ダイオード７８ｅのカソードが第１放電電極７２に接続されている。
【００６１】
第２ダイオード７８ｆは、電流を整流する。第２ダイオード７８ｆのアノードが第２放電電極７３に接続されている。第２ダイオード７８ｆのカソードが昇圧トランス７８ｃの二次巻線７８２に接続されている。
【００６２】
第１誘導電極７８ｇは、第１放電電極７２の近傍に配置される。第１誘導電極７８ｇは、第１放電電極７２で放電が生じるように誘導する。第２誘導電極７８ｈは、第２放電電極７３の近傍に配置される。第２誘導電極７８ｈは、第２放電電極７３にて放電が生じるように誘電する。
【００６３】
コンデンサ７８ｂが繰り返し充放電を行い、さらに、コンデンサ７８ｂの充放電に同期させてトランジスタ７８ｄのオン／オフ動作が切り替えられることにより、昇圧トランス７８ｃの一次巻線７８１にインパルス電圧が発生する。その結果、昇圧トランス７８ｃの二次巻線７８２に正の高電圧パルスと負の高電圧パルスとが交互に発生する。
【００６４】
二次巻線７８２で発生した正の高電圧パルスは、第１ダイオード７８ｅを介して第１放電電極７２に印加される。二次巻線７８２で発生した負の高電圧パルスは、第２ダイオード７８ｆを介して第２放電電極７３に印加される。従って、第１放電電極７２でコロナ放電が発生する。その結果、第１放電電極７２から正イオンが放出される。また、第２放電電極７３でコロナ放電が発生する。その結果、第２放電電極７３から負イオンが放出される。
【００６５】
コロナ放電によって生じた正イオンは、空気中の水分と結合する。そして、水分と結合した正イオンは、Ｈ+（Ｈ2Ｏ）を含み、電荷が正のクラスタイオンを形成する。また、コロナ放電によって生じた負イオンは、空気中の水分と結合する。そして、負イオンは、Ｏ2-（Ｈ2Ｏ）を含み、電荷が負のクラスタイオンを形成する。なお、第１放電電極７２及び第２放電電極７３の各々に印加される電圧及びパルス周期が変更されることによって、第１放電電極７２及び第２放電電極７３の各々から発生するイオンの量が調整される。イオンの量は、言い換えれば、イオンの濃度を示す。
【００６６】
図２及び図６を参照して、イオン供給部７の動作の第１例について説明する。図６は、イオン供給部７の動作の第１例を示す斜視図である。
【００６７】
図６は、螺旋風Ｆ１１を示す。螺旋風Ｆ１１は、送風部６から送られた螺旋風Ｆ１（図３参照）のうちの一部である。
【００６８】
図２及び図６に示すように、螺旋風Ｆ１１は、送風部６から送られると、中心軸Ｚを中心に、イオン供給部７側へ螺旋状に流れる。そして、螺旋風Ｆ１１は、第１ガイド面７４ａに前方から当たる。螺旋風Ｆ１１は、第１ガイド面７４ａに当たることで流れ方向を変更されて、反射風Ｆ２１になる。螺旋風Ｆ１１は、第１ガイド面７４ａに沿いつつ第１放電電極７２側へ流れる。すなわち、第１ガイド面７４ａは、螺旋状に流れる螺旋風Ｆ１１を、略ストレートに流れる反射風Ｆ２１に変更する。反射風Ｆ２１が第１放電電極７２を通過する際、反射風Ｆ２１の気流中に第１放電電極７２から正イオンが放出される。その結果、反射風Ｆ２１は、正イオンを含んだ状態で、整流部８とルーバー９とを通過した後、吹出口Ｂから筐体１の外部へ排出される。
【００６９】
以上、図２及び図６を参照して説明したように、平面である第１ガイド面７４ａは、螺旋風Ｆ１１を第１放電電極７２へ案内する。従って、第１ガイド面７４ａに当たった螺旋風Ｆ１１（反射風Ｆ２１）を、第１ガイド面７４ａに沿わせて第１放電電極７２側に移動させることができるので、第１放電電極７２に対して反射風Ｆ２１を効果的に流すことができる。その結果、正イオンの発生量（吹出口Ｂから排出される正イオンの量）が低下することを抑制できる。
【００７０】
次に、図２及び図７を参照して、イオン供給部７の動作の第２例について説明する。図７は、イオン供給部７の動作の第２例を示す斜視図である。
【００７１】
図７は、螺旋風Ｆ１２を示す。螺旋風Ｆ１２は、送風部６から送られた螺旋風Ｆ１（図３参照）のうちの他の一部である。
【００７２】
図２及び図７に示すように、螺旋風Ｆ１２は、送風部６から送られると、中心軸Ｚを中心に、イオン供給部７側へ螺旋状に流れる。そして、螺旋風Ｆ１２は、第２ガイド面７５ａに後方から当たる。螺旋風Ｆ１２は、第２ガイド面７５ａに当たることで流れ方向を変更されて、反射風Ｆ２２になる。反射風Ｆ２２は、第２ガイド面７５ａに沿いつつ第２放電電極７３側へ流れる。すなわち、第２ガイド面７５ａは、螺旋状に流れる螺旋風Ｆ１２を、略ストレートに流れる反射風Ｆ２２に変更する。反射風Ｆ２２は、第２放電電極７３を通過する際、第２放電電極７３から負イオンを放出される。その結果、反射風Ｆ２２は、負イオンを含んだ状態で、整流部８とルーバー９とを通過した後、吹出口Ｂから筐体１の外部へ排出される。
【００７３】
以上、図２及び図７を参照して説明したように、平面である第２ガイド面７５ａは、螺旋風Ｆ１２を第２放電電極７３へ案内する。従って、第２ガイド面７５ａに当たった螺旋風Ｆ１２（反射風Ｆ２２）を、第２ガイド面７５ａに沿わせて第２放電電極７３側に移動させることができるので、第２放電電極７３に対して反射風Ｆ２２を効果的に流すことができる。その結果、負イオンの発生量（吹出口Ｂから排出される負イオンの量）が低下することを抑制できる。また、第２ガイド面７５ａの側方が第２側壁部７７と第３側壁部７９とで囲まれるので、螺旋風Ｆ１２を第２ガイド面７５ａへ効果的に導くことができると共に、反射風Ｆ２２を第２放電電極７３へ効果的に導くことができる。
【００７４】
次に、図３、及び図６〜図８を参照して、イオン供給部７についてさらに説明する。図８は、イオン供給部７の正面図である。
【００７５】
図３、及び図６〜図８に示すように、第１ガイド面７４ａの面積Ｖ１は、第１放電電極７２に供給される反射風Ｆ２１の風量に応じた大きさを有する。第１ガイド面７４ａの面積Ｖ１が大きくなる程、第１ガイド面７４ａにより第１放電電極７２に供給される反射風Ｆ２１の風量が多くなる。
【００７６】
第２ガイド面７５ａの面積Ｖ２は、第２放電電極７３に供給される反射風Ｆ２２の風量に応じた大きさを有する。第２ガイド面７５ａの面積Ｖ２が大きくなる程、第２ガイド面７５ａにより第２放電電極７３に供給される反射風Ｆ２２の風量が多くなる。
【００７７】
本実施形態では、第１ガイド面７４ａの面積Ｖ１の方が、第２ガイド面７５ａの面積Ｖ２よりも大きい（Ｓ１＞Ｓ２）。
【００７８】
また、本実施形態では、第１放電電極７２から中心軸Ｚまでの距離Ｄ１の方が、第２放電電極７３から中心軸Ｚまでの距離Ｄ２よりも長い（Ｄ１＞Ｄ２）。言い換えれば、第１放電電極７２の方が第２放電電極７３よりも、送風部６から離間している。
【００７９】
距離Ｄ１の方が距離Ｄ２よりも長くなる場合、一般に、第１放電電極７２に供給される反射風Ｆ２１の風量の方が、第２放電電極７３に供給される反射風Ｆ２２の風量よりも少なくなる。しかし、第１ガイド面７４ａの面積Ｖ１を第２ガイド面７５ａの面積Ｖ２よりも大きくすることで、第１放電電極７２に供給される反射風Ｆ２１の風量と、第２放電電極７３に供給される反射風Ｆ２２の風量との間に差が生じることを抑制できる。その結果、第１放電電極７２から反射風Ｆ２１に供給される正イオンの量と、第２放電電極７３から反射風Ｆ２２に供給される負イオンの量との間に差が生じることを抑制できるので、正イオンと負イオンとをバランスよく生成することができる。
【００８０】
また、第１放電電極７２と第２放電電極７３との各々の構成を変更すること無く、第１ガイド面７４ａの面積Ｖ１と、第２ガイド面７５ａの面積Ｖ２との比率を変更するだけで、イオン発生装置１００から発生される正イオンと負イオンとのバランスを整えることができる。その結果、イオン発生装置１００から発生される正イオンと負イオンとのバランスを容易に整えることができる。
【００８１】
また、第１ガイド板７４及び第２ガイド板７５の各々が、変形可能な構造（例えば、伸縮可能な構造）を有しており、第１ガイド板７４及び第２ガイド板７５の各々が変形されることで、第１ガイド面７４ａの面積Ｖ１と、第２ガイド面７５ａの面積Ｖ２との各々が変更されてもよい。その結果、正イオンと負イオンとのバランス調整をより容易に行うことができる。
【００８２】
以上、図面（図１〜図８）を参照しながら本発明の実施形態について説明した。但し、本発明は、上記の実施形態に限られるものではなく、その要旨を逸脱しない範囲で種々の態様において実施することが可能である（例えば、（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８３】
（１）本実施形態では、イオン発生装置１００は、第１放電電極７２と、第２放電電極７３とを備えており、正イオンと負イオンとを発生する。しかし、本発明はこれに限定されない。イオン発生装置１００は、第１放電電極７２と、第２放電電極７３とのうちのいずれかの電極を備えており、正イオンと負イオンとのうちのいずれかのイオンを発生してもよい。すなわち、イオン発生装置１００は、第１ガイド面７４ａと第２ガイド面７５ａとのうちのいずれかのガイド面を備えていてもよい。
【００８４】
また、イオン発生装置１００は、３つ以上の放電電極と、３つ以上のガイド面とを備えていてもよい。
【００８５】
また、イオン発生装置１００が発生するイオンの種類は特に限定されない。イオン発生装置１００は、例えば、ナノイー（登録商標）を発生してもよい。
【００８６】
（２）図９を参照して、イオン供給部７の変形例について説明する。図９は、イオン供給部７の変形例を示す模式図である。図９において、第２放電電極７３及び第２ガイド面７５ａの図は省略する。
【００８７】
図９に示すように、イオン供給部７の変形例では、前後方向（中心軸Ｚに対して垂直な方向）に対する第１ガイド面７４ａの傾斜角度θが鋭角になる。この場合、第１ガイド面７４ａの上端よりも下端の方が前側（上流側）に位置する。この場合、第１ガイド面７４ａは、第１ガイド面７４ａに当たった螺旋風Ｆ１１を、平面（傾斜面）である第１ガイド面７４ａに沿わせて流すことで、略ストレートに流れる反射風Ｆ２１に変更することができる。その結果、第１放電電極７２に対して反射風Ｆ２１を効果的に流すことができる。また、第１ガイド面７４ａが鋭角に傾斜することで、第１ガイド面７４ａは、反射風Ｆ２１の圧力損失を抑制しつつ、第１放電電極７２へ反射風Ｆ２１をガイドできる。
【００８８】
なお、前後方向に対する第１ガイド面７４ａの傾斜角度θと同様に、前後方向に対する第２ガイド面７５ａ（図７参照）の傾斜角度が鋭角であってもよい。この場合、第２ガイド面７５ａの上端よりも下端の方が後側（上流側）に位置する。この場合、第２ガイド面７５ａは、第２ガイド面７５ａに当たった螺旋風Ｆ１２を、平面（傾斜面）である第２ガイド面７５ａに沿わせて流すことで、略ストレートに流れる反射風Ｆ２２に変更することができる。その結果、第２放電電極７３に対して反射風Ｆ２２を効果的に流すことができる。また、第２ガイド面７５ａが鋭角に傾斜することで、第２ガイド面７５ａは、反射風Ｆ２２の圧力損失を抑制しつつ、第２放電電極７３へ反射風Ｆ２２をガイドできる。
【産業上の利用可能性】
【００８９】
本発明は、イオン発生装置の分野に利用可能である。
【符号の説明】
【００９０】
６      送風部
７２    第１放電電極
７３    第２放電電極
７４ａ  第１ガイド面
７５ａ  第２ガイド面
１００  イオン発生装置
Ｆ１，Ｆ１１、Ｆ１２    螺旋風
【図１】
2020166948.tif 000003
【図２】
2020166948.tif 000004
【図３】
2020166948.tif 000005
【図４】
2020166948.tif 000006
【図５】
2020166948.tif 000007
【図６】
2020166948.tif 000008
【図７】
2020166948.tif 000009
【図８】
2020166948.tif 000010
【図９】
2020166948.tif 000011